(57)【要約】【課題】  磁気記録再生装置側にローディング機構を必要としない上、磁気記録再生装置に容易に装着することができ、磁気テープ内蔵型の磁気記録再生装置に適した磁気テープ保持体、及び、その磁気テープ保持体を内蔵するのに適した磁気記録再生装置を提供する。【解決手段】  本発明の磁気テープ保持体１０は、磁気テープＴの幅方向において対向する一対の押え板部１２，１３と、一対の押え板部１２，１３の間に設けられ、磁気テープを巻きつけ可能な巻芯１２ｃと、一対の押え板部同士を固定支持する背板部１４とを備え、一対の押え板部１２，１３には、磁気テープＴの一端側に取り付けられた磁気テープリーダー部１５が係止される係止部１６が設けられている。【選択図】  図１
2005182915.tif 000002
【特許請求の範囲】
【請求項１】
磁気テープを磁気ヘッドに対して走行させて磁気記録再生を行う磁気記録再生装置に内蔵され、前記磁気テープを保持する磁気テープ保持体であって、
前記磁気テープの幅方向において対向する一対の押え板部と、前記一対の押え板部の間に回動可能に支持され、前記磁気テープの巻きつけ及び送り出しが可能な巻芯と、前記一対の押え板部同士を固定支持する背板部とを備え、
前記一対の押え板部には、前記磁気テープの一端側に取り付けられた磁気テープリーダー部が係止される係止部が設けられていることを特徴とする磁気テープ保持体。
【請求項２】
前記押え板部と嵌合するように開口した嵌合部が側面に形成され、前記巻芯に巻きつけられた前記磁気テープを収容可能な保持体ケースを備えていることを特徴とする請求項１に記載の磁気テープ保持体。
【請求項３】
前記保持体ケースの側面に開口部が形成され、前記開口部を開閉する蓋部を備え、前記背板部には前記開口部を閉じた状態の前記蓋部を収容保持する凹部が設けられていることを特徴とする請求項２に記載の磁気テープ保持体。
【請求項４】
第１のシャーシと第２のシャーシとを組み合せてなる本体ケースと、
磁気テープに磁気記録再生を行う磁気ヘッドと、前記磁気テープを搬送する磁気テープ搬送機構と、前記磁気テープを巻き取り及び送り出し可能なマシンリールと、
前記磁気テープの幅方向において対向する一対の押え板部と、前記一対の押え板部の間に回動可能に支持され、且つ、前記マシンリールと連動して磁気テープの送り出し及び巻き取りが可能な巻芯と、前記一対の押え板部を固定支持する背板部とを備えた磁気テープ保持体とを備え、
前記第１のシャーシと前記第２のシャーシのそれぞれには、前記押え板部を嵌め込むことで保持する溝部が設けられていることを特徴とする磁気記録再生装置。
【発明の詳細な説明】
【技術分野】
【０００１】
本発明は、磁気テープ内蔵型の磁気記録再生装置に用いられる磁気テープ保持体、及び、その磁気テープ保持体を内蔵するに好適な磁気記録再生装置に関する。
【背景技術】
【０００２】
従来、必要な情報を磁気テープに書き込んで保存する磁気記録再生装置（ドライブ）が用いられ、例えば、特許文献１に示すドライブでは、磁気テープカートリッジの磁気テープを引き出して、ドライブ内に設けられた搬送パス機構と、磁気記録再生装置内に設けられたマシンリールとに巻装させるローディング機構が設けられている。このローディング機構によって、磁気テープカートリッジをドライブに装填することとドライブから磁気テープカートリッジを取り出すことを可能にしていた。
【０００３】
【特許文献１】特開平５−２５８４２０号公報
【発明の開示】
【発明が解決しようとする課題】
【０００４】
ところで、大規模サーバのデータバックアップシステムのような大量のデータバックアップの用途以外に今後家庭用途等の小規模スケールのバックアップシステムが普及した場合、従来のような互換性や媒体交換が不要になる状況が考えられ、磁気テープを予め内蔵した磁気記録再生装置が開発されている。
また、従来のドライブは磁気テープカートリッジのローディング機構が必要なため、ドライブの構造が複雑化し、装置小型化の制限となり、ドライブのコストが高くなっていた。さらに、磁気テープカートリッジの破損やドライブのローディング時の故障などが発生することがあった。
このため、従来のローディング機構は必要なく、ローディング機構をより簡便な構成にしたいという要望がある。
【０００５】
本発明は、このような事情に鑑みてなされたもので、その目的は、磁気記録再生装置側にローディング機構を必要としない上、磁気記録再生装置に容易に装着することができ、磁気テープ内蔵型の磁気記録再生装置に適した磁気テープ保持体、及び、その磁気テープ保持体を内蔵するのに適した磁気記録再生装置を提供することにある。
【課題を解決するための手段】
【０００６】
本発明の上記目的は、磁気テープを磁気ヘッドに対して走行させて磁気記録再生を行う磁気記録再生装置に内蔵され、前記磁気テープを保持する磁気テープ保持体であって、前記磁気テープの幅方向において対向する一対の押え板部と、前記一対の押え板部の間に回動可能に支持され、前記磁気テープの巻きつけ及び送り出しが可能な巻芯と、前記一対の押え板部同士を固定支持する背板部とを備え、前記一対の押え板部には、前記磁気テープの一端側に取り付けられた磁気テープリーダー部が係止される係止部が設けられていることを特徴とする磁気テープ保持体によって達成される。
【０００７】
本発明の磁気テープ保持体は、巻芯に巻き取られた磁気テープを一対の押え板部同士の間で保持するとともに、磁気テープの一端の磁気テープリーダー部を押え部材に設けられた係止部に係止させた構成である。そして、この磁気テープ保持体を磁気記録再生装置に取り付ける際には、使用者が押え部材の係止部から磁気テープリーダー部を取り外して磁気テープを引き出し、磁気記録再生装置のマシンリール及び磁気テープ搬送機構に掛け渡すことで、磁気テープのローディング作業を完了することができる。このとき、使用者が押え板部を把持することで磁気テープに直接触れることがなく、磁気テープに傷や埃などをつけてしまうことを防止することができる。
また、磁気テープ保持体を磁気記録再生装置に取り付けたときには、磁気テープが巻きつけられた巻芯を、磁気記録再生装置のマシンリールと連動させて回動させるといった構成に容易にすることができる。
したがって、本発明にかかる磁気テープ保持体は極めて簡単な構成であり、磁気記録再生装置側にローディング機構を必要としない上、磁気記録再生装置に容易に装着することができる。
【０００８】
上記磁気テープ保持体は、押え板部と嵌合するように開口した嵌合部が側面に形成され、巻芯に巻きつけられた磁気テープを収容可能な保持体ケースを備えていることが好ましい。
こうすれば、押え板部を保持体ケースの嵌合部に嵌合させて固定した状態で磁気テープ保持体を保持体ケースによって包装することができ、磁気テープに外部から傷や埃などがつくことをより一層確実に防止することができる。
【０００９】
上記磁気テープ保持体は、保持体ケースの側面に開口部が形成され、開口部を開閉する蓋部を備え、背板部には開口部を閉じた状態の蓋部を収容保持する凹部が設けられていることが好ましい。
こうすれば、蓋部を閉じることでにより保持体ケースの気密性をより向上させるとともに、蓋部を背板部に保持させることにより磁気テープ保持体が保持体ケース内で移動することをより確実に防止することができる。このため、保持体ケース内で磁気テープ保持体が振動することに起因して磁気テープの巻姿が劣化することを防止することができる。
【００１０】
また、本発明の上記目的は、第１のシャーシと第２のシャーシとを組み合せてなる本体ケースと、磁気テープに磁気記録再生を行う磁気ヘッドと、磁気テープを搬送する磁気テープ搬送機構と、磁気テープを巻き取り及び送り出し可能なマシンリールと、磁気テープの幅方向において対向する一対の押え板部と、一対の押え板部の間に回動可能に支持され、且つ、マシンリールと連動して磁気テープの送り出し及び巻き取り可能な巻芯と、一対の押え板部を固定支持する背板部とを備えた磁気テープ保持体とを備え、第１のシャーシと第２のシャーシとのそれぞれには、押え板部を嵌め込むことで保持する溝部が設けられていることを特徴とする磁気記録再生装置によって達成される。
【００１１】
本発明の磁気記録再生装置は、磁気テープ保持体を磁気記録再生装置に取り付ける際には、使用者が磁気テープ保持体から磁気テープを引き出し、磁気記録再生装置のマシンリール及び磁気テープ搬送機構に掛け渡し、磁気テープを保持した磁気テープ保持体を第１のシャーシ及び第２のシャーシの溝部に嵌め込むことで、この磁気テープ保持体を本体ケースに対して固定させる構成である。磁気テープ保持体を一度磁気記録再生装置に装着させた後は、従来のように磁気テープカートリッジを磁気記録再生装置から取り出すことや磁気記録再生装置に装填することがない。
また、磁気テープ保持体を磁気記録再生装置に取り付けたときには、磁気記録再生装置のマシンリールと磁気テープ保持体の巻芯が連動するため、磁気記録再生装置に別のリール部材を備え付ける必要がないため、部品点数の増加を押させることができる。
したがって、本発明にかかる磁気記録再生装置は、ローディング機構を必要としないことから、ローディング機構における故障が生じない。また、装置の構成が複雑になることを回避することができ、装置の小型化を図ることが可能となる。さらに、装置のコストアップを抑制することができる。
【発明の効果】
【００１２】
本発明によれば、磁気記録再生装置側にローディング機構を必要としない上、磁気記録再生装置に容易に装着することができ、磁気テープ内蔵型の磁気記録再生装置に適した磁気テープ保持体、及び、その磁気テープ保持体を内蔵するのに適した磁気記録再生装置を提供できる。
【発明を実施するための最良の形態】
【００１３】
以下、本発明の実施形態を図面に基づいて詳しく説明する。
図１は、本発明にかかる磁気テープ保持体を示す斜視図である。図２は、図１のＡ−Ａ線方向に見た状態を示す断面図である。
図１及び図２に示すように、磁気テープ保持体１０はフレーム１１を備えている。磁気テープ保持体１０は、磁気テープＴを保持するとともに、磁気テープＴに磁気記録再生を行う磁気記録再生装置（図示しない）に内蔵される構成である。
【００１４】
フレーム１１は、下側板部１２と上側板部１３同士を組み合せて構成されている。本実施形態において、これら下側板部１２と上側板部１３とが一対の押え板部として機能する。
下側板部１２と上側板部１３とは、ともに図１上方から見た状態で略長方形の面を有しているが、その形状は特に限定されない。
【００１５】
下側板部１２は、側板１２ａを有し、また、上側板部１３は、下側板部１２の側板１２ａと組み付け可能に形成された側板１３ａを有している。下側板部１２と上側板部１３との間には、下側板部１２及び上側板部１３により回動可能に支持されたハブ１２ｃが設けられている。ハブ１２ｃは、円柱形状を有し、回動することで、その周面に磁気テープＴを巻き付けたり、また、磁気テープを送り出したりすることが可能で、本実施形態において巻芯として機能する。
【００１６】
下側板部１２と上側板部１３とを組み合せた状態で、下側板部１２の上面（図２の上側の面）と上側板部１３の下面（図２の下側の面）とが、磁気テープＴの幅方向において対向し、これら両面によってハブ１２ｃに巻き付けられる磁気テープの幅方向位置が規制される。
【００１７】
また、下側板部１２と上側板部１３とを組み合せることで、側板１２ａと側板１３ａとが組み合わされ単一の面を有する背板部１４となり、この背板部１４によって下側板部１２及び上側板部１３が固定支持される。
【００１８】
下側板部１２及び上側板部１３のそれぞれには、側板１２ａ，１３ａに対して垂直になるように延びるフランジ部１２ｂ，１３ｂが設けられている。
【００１９】
本実施形態の磁気テープ保持体１０において、下側板部１２と上側板部１３とを組み合せた状態で、磁気テープＴと上側板部１３との隙間ｓ１及び磁気テープＴと下側板部１２との隙間ｓ２を、磁気テープＴを引き出したり、巻きつけたりする際に、下側板部１２と上側板部１３と接触して磁気テープ幅方向端部に歪みや折れといった変形が生じてしまうことがなく、磁気テープＴの巻姿の劣化を防止することができるように調整する。
【００２０】
側板１２ａと側板１３ａとが組み合わされる部分に接着部材を設けることで、下側板部１２と上側板部１３とを組み合せた際の磁気テープ保持体全体の機械的強度を向上させてもよい。
【００２１】
図１に示すように、ハブ１２ｃに巻き付けられた磁気テープＴの一端には磁気テープリーダー部（本実施形態においてリーダーピン）１５が設けられている。一方、下側板部１２と上側板部１３とにはリーダーピン１５を収容保持することで磁気テープＴの一端を磁気テープ保持体１０に係止させるための係止部として機能する切欠部１６が設けられている。切欠部１６の形状や位置は、作業者が手指などで小さい負荷をかけることによってリーダーピン１５の取り付け及び取り出し（図１において一点鎖線で示す状態）可能であれば、特に制限されない。
【００２２】
このような磁気テープ保持体１０によれば、巻芯として機能するハブ１２ｃに巻き取られた磁気テープＴを一対の押え板部１２，１３同士の間で保持するとともに、磁気テープＴの一端に形成された磁気テープリーダー部１５を、押え部材１２，１３に設けられた切欠部１６に係止させることができる構成である。
【００２３】
磁気テープ保持体１０を図示しない磁気記録再生装置に取り付ける際には、使用者が押え部材１２，１３の係止部１６から磁気テープリーダー部１５を取り外して磁気テープＴを磁気テープ保持体１０から引き出しながら、磁気記録再生装置のマシンリール及び磁気テープ搬送機構に掛け渡すことで、磁気テープＴのローディング作業を完了することができる。このとき、使用者が押え板部１２，１３を把持することで磁気テープＴに直接触れてしまうことがなく、磁気テープＴに傷や埃などをつけてしまうことを防止することができる。
【００２４】
次に、図３及び図４を参照して、本発明にかかる磁気テープ保持体の変形例を説明する。なお、以下に説明する実施形態において、すでに説明した部材などと同等な構成・作用を有する部材等については、図中に同一符号又は相当符号を付すことにより、説明を簡略化或いは省略する。
図３は、磁気テープ保持体の変形例を示す斜視図である。図３に示すように、磁気テープ保持体１０は保持体ケース２０を備えていてもよい。
【００２５】
保持体ケース２０は、略正方形で、互いに平行な上側面及び下側面２２と、上これら両面における３つの周縁辺にそれぞれ側面として設けられたカバー側板２３とを有し、残り１つの周縁辺の側面には開口部２４が形成されている。
【００２６】
保持体ケース２０の上下側面（側面）２２には、磁気テープ保持体１０のフレーム１１（押え板部１２，１３）の形状と適合するように、おける端辺の一部からＵ字状に開口するように嵌合部２５がそれぞれ形成されている。
【００２７】
保持体ケース２０には、カバー側板２３の一端辺に形成されたヒンジ部２６ａによって、開口部２４を図中矢印で示すように開閉可能な蓋部２６が設けられている。
【００２８】
図４は、磁気テープ保持体１０を保持体ケース２０に収容させた状態を示す図である。
図３及び図４に示すように、磁気テープ保持体１０を保持体ケース２０に収容させるには、フレーム１１と上下側面２２とを嵌合させながら、磁気テープ保持体１０を保持体ケース２０内に挿入する。このとき、磁気テープ保持体１０の背板部１４の上下端部に設けられたフランジ１２ｂ，１３ｂ（図２参照）が、上下側面２２における開口部２４側端辺の一部となる。そして、蓋部２６が、開口部２４を閉じた状態で、フレーム１１の背板部１４における凹部１１ａに収容保持される。
【００２９】
このように、磁気テープ保持体１０は、押え板部１２，１３と嵌合するように開口した嵌合部２５が側面２２に形成され、巻芯１２ｃに巻きつけられた磁気テープＴを収容可能な保持体ケース２０を備えている構成である。こうすれば、押え板部１２，１３を保持体ケース２０の嵌合部２５に嵌合させて固定した状態で磁気テープ保持体１０を保持体ケース２０によって包装することができ、磁気テープＴに外部から傷や埃などがつくことをより一層防止することができる。
【００３０】
また、磁気テープ保持体１０が、保持体ケース２０の側面に開口部２４が形成され、開口部２４を開閉する蓋部２６を備え、背板部１４には開口部２４を閉じた状態で蓋部２６を収容保持する凹部１１ａが設けられている構成とすれば、蓋部２６を閉じて保持体ケース２０の気密性をより向上させるとともに、蓋部２６を凹部１１ａに保持させることにより磁気テープ保持体１０が保持体ケース２０内で移動することをより確実に防止することができる。このため、保持体ケース２０内で磁気テープ保持体１０が振動することに起因して磁気テープＴの巻姿が劣化することを防止することができる。
【００３１】
次に、図５及び図６を参照して、本発明にかかる磁気記録再生装置を説明する。図５は、磁気記録再生装置の構成を説明する図である。図６は、図５の磁気記録再生装置をＢ−Ｂ線方向に見た状態における断面図を示している。
本発明にかかる磁気記録再生装置において、上記磁気テープ保持体を内蔵するのに好適なものであり、以下の説明において磁気テープ保持体の構成は既に上記実施形態で説明したものと同様とする。
【００３２】
図５に示すように、磁気記録再生装置３０は、下側シャーシ（第１のシャーシ）３１と図中２点鎖線で示す上側シャーシ（第２のシャーシ）３２とを組み合わせてなる本体ケースを有している。なお、図５において、構成を説明するため、上側シャーシを２点鎖線で記載することで透視した状態を示している。
【００３３】
下側シャーシ上には、磁気テープＴを巻きつけ可能なマシンリール３３と、磁気テープＴを搬送する磁気テープ搬送機構３４と、該磁気テープ搬送機構３４によって搬送される磁気テープＴに対して摺接するように配置されて磁気テープＴに磁気記録再生を行う磁気ヘッド３５とが設けられている。
【００３４】
マシンリール３３は、図示しない駆動機構によって矢印Ｒ方向に回動されることで、磁気テープＴの巻きつけ及び送り出しを適宜行うことができる構成である。
【００３５】
下側シャーシ３１と上側シャーシ３２のそれぞれには、磁気テープ保持体１０のフレーム１１（押え板部１２，１３）を嵌め込むことで、各シャーシ３１，３２に対する磁気テープ保持体１０の位置を固定させる溝部３１ａ，３２ａが設けられている。溝部３１ａ，３２ａは、磁気テープ保持体１０のハブ１２ｃを適正な位置に位置決めしている。
【００３６】
また、図６に示すように、溝部３１ａ，３２ａは、フレーム１１を嵌め込んだ状態で、押え板部１２，１３の磁気テープＴ側の面がそれぞれ、各シャーシ３１，３２の内側面と面一状になるように形成されていることが好ましい。こうすれば、溝部３１ａ，３２ａに嵌め込まれたフレーム１１と各シャーシ３１，３２との境界部に生じる段差に搬送される磁気テープの幅方向端部が接触して損傷することがない。
【００３７】
磁気テープ保持体１０を下側シャーシ３１と上側シャーシ３２との間に配置した状態で、ハブ１２ｃに図示しない駆動機構が係合し、このハブ１２ｃとマシンリール３３とが連動することで、磁気テープＴが図５中の矢印方向（又はその反対方向）に搬送されるように構成されている。
【００３８】
本実施形態の磁気記録再生装置２０において、磁気テープ保持体１０は、各シャーシ３１，３２に設けられえた溝部３１ａ，３２ａに嵌合することで固定される構成としたがこれに限られない。例えば、各シャーシ３１，３２に磁気テープ保持体１０のフレーム１１と係合するように突設されたリブを配置し、このリブによって磁気テープ保持体１０を固定する構成としてもよい。
【００３９】
このような磁気記録再生装置３０は、磁気テープ保持体１０を取り付ける際には、使用者が磁気テープ保持体１０から磁気テープＴを引き出し、磁気記録再生装置３０のマシンリール３３及び磁気テープ搬送機構３４に掛け渡し、磁気テープＴを保持した磁気テープ保持体１０を第１のシャーシ３１及び第２のシャーシ３２の溝部３１ａ，３２ａに嵌め込むことで、この磁気テープ保持体１０を本体ケースに対して固定させる構成である。
【００４０】
磁気記録再生装置３０は、ローディング機構を必要としない簡易な構成であるとともに、磁気テープ保持体１０を一度磁気記録再生装置３０に装着させた後は、従来のように磁気テープカートリッジを磁気記録再生装置から取り出すことや磁気記録再生装置に装填することがない。
また、磁気テープ保持体１０を磁気記録再生装置３０に取り付けたときには、磁気記録再生装置３０のマシンリール３３と磁気テープ保持体１０の巻芯であるハブ１２ｃが連動するため、磁気記録再生装置３０に別のリール部材を備え付ける必要がないため、部品点数の増加を押させることができる。
したがって、本発明にかかる磁気記録再生装置３０は、ローディング機構を必要としないことから、ローディング機構に起因する故障が生じない。また、装置の構成が複雑になることを回避することができ、装置の小型化を図ることが可能となる。さらに、装置のコストアップを抑制することができる。
【００４１】
なお、本発明は、前述した実施形態に限定されるものではなく、適宜な変形、改良などが可能である。
例えば、上記磁気記録再生装置３０において、各シャーシ３１，３２は、いずれを上側又は下側にしてもよく、水平方向に対してそれぞれ垂直に配置してもよい。
【図面の簡単な説明】
【００４２】
【図１】本発明にかかる磁気テープ保持体を示す斜視図である。
【図２】図１のＡ−Ａ線方向に見た状態を示す断面図である。
【図３】磁気テープ保持体の変形例を示す斜視図である。
【図４】磁気テープ保持体１０を保持体ケース２０に収容させた状態を示す図である。
【図５】本発明にかかる磁気記録再生装置の構成を説明する図である。
【図６】図５の磁気記録再生装置をＢ−Ｂ線方向に見た状態における断面図である。
【符号の説明】
【００４３】
１０  磁気テープ保持体
１１  フレーム
１２  下側板部
１３  上側板部
１５  磁気テープリーダー部
１６  係止部
２０  保持体ケース
３０  磁気記録再生装置
【図１】
2005182915.tif 000003
【図２】
2005182915.tif 000004
【図３】
2005182915.tif 000005
【図４】
2005182915.tif 000006
【図５】
2005182915.tif 000007
【図６】
2005182915.tif 000008